(57)【要約】【課題】傘の視認性の向上を図る。【解決手段】傘１の親骨３に張られた傘布４は、シート状の絶縁性材料からなるベース層と、ベース層上の少なくとも一部に配置された発光シートとを有し、発光シートは、ベース層上に配置され、互いに近接し境界領域を隔てて電気的に絶縁された所定のパターンを持つ第１の電極および第２の電極を有する電極層と、電極層上に配置された誘電体層と、誘電体層上に配置され、ＥＬ発光体を有する発光層と、発光層上に配置された透光性を有する保護層とを有し、発光層は、保護層上に付着した水滴を介して第１の電極と第２の電極との間に流れる交流電流により、水滴の直下の部分が発光する。【選択図】図１
2010207503.tif 000002
【特許請求の範囲】
【請求項１】
軸と、前記軸の上部に放射状に開閉自在に取り付けられた複数の親骨と、前記複数の親骨に張られた傘布とを備える傘であって、
前記傘布は、
シート状の絶縁性材料からなるベース層と、
前記ベース層上の少なくとも一部に配置された発光シートとを有し、
前記発光シートは、
前記ベース層上に配置され、互いに近接し境界領域を隔てて電気的に絶縁された所定のパターンを持つ第１の電極および第２の電極を有する電極層と、
前記電極層上に配置された誘電体層と、
前記誘電体層上に配置され、ＥＬ発光体を有する発光層と、
前記発光層上に配置された透光性を有する保護層とを有し、
前記発光層は、前記保護層上に付着した導電性の液体を介して前記第１の電極と前記第２の電極との間に流れる交流電流により、前記導電性の液体の直下の部分が発光することを特徴とする傘。
【請求項２】
前記保護層の表面に撥水性のコーティングが施されていることを特徴とする請求項１に記載の傘。
【請求項３】
前記傘布を開いたときに、電源からの交流電圧を前記第１の電極と前記第２の電極との間に印加するスイッチをさらに備えることを特徴とする請求項１または２に記載の傘。
【請求項４】
互いに近接し境界領域を隔てて電気的に絶縁された所定のパターンを持つ第１の電極および第２の電極を有する電極層と、
前記電極層上に配置された誘電体層と、
前記誘電体層上に配置され、ＥＬ発光体を有する発光層と、
前記発光層上に配置された透光性を有する保護層とを有し、
前記発光層は、前記保護層上に付着した導電性の液体を介して前記第１の電極と前記第２の電極との間に流れる交流電流により、前記導電性の液体の直下の部分が発光することを特徴とする発光シート。
【発明の詳細な説明】
【技術分野】
【０００１】
本発明は、降雨時に用いられる傘、およびこれに用いる発光シートに関する。
【背景技術】
【０００２】
降雨時は視界が悪いため、傘をさして歩く人を、自動車の運転手等の第三者が視認しにくく、交通事故を招くおそれがある。特に夜間においてはその危険性が高い。
【０００３】
そこで、発光により傘の視認性を向上させる技術が提案されている。例えば、特許文献１には、傘の各部に発光ダイオード（ＬＥＤ：Light Emitting Diode）を取り付け、これを発光させることにより、傘を視認されやすくする技術が開示されている。
【０００４】
また、特許文献２には、柄の内部に設けた発光体からの光を、光ファイバにより露先に配置した透明球に導き、この透明球で発光体からの光を拡散させることで、傘の視認性を向上させる技術が開示されている。
【先行技術文献】
【特許文献】
【０００５】
【特許文献１】実用新案登録第３０７６１３５号公報
【特許文献２】特開平１０−５２３０４号公報
【発明の概要】
【発明が解決しようとする課題】
【０００６】
しかしながら、特許文献１に記載の傘では、ＬＥＤによる点発光であるため、視認性の向上があまり期待できない。また、特許文献２に記載の傘では、透明球で光を拡散させるため輝度が十分ではない。
【０００７】
本発明は上記に鑑みてなされたもので、視認されやすい傘およびこれに用いる発光シートを提供することを目的とする。
【課題を解決するための手段】
【０００８】
上記目的を達成するため、請求項１に係る傘は、軸と、前記軸の上部に放射状に開閉自在に取り付けられた複数の親骨と、前記複数の親骨に張られた傘布とを備える傘であって、前記傘布は、シート状の絶縁性材料からなるベース層と、前記ベース層上の少なくとも一部に配置された発光シートとを有し、前記発光シートは、前記ベース層上に配置され、互いに近接し境界領域を隔てて電気的に絶縁された所定のパターンを持つ第１の電極および第２の電極を有する電極層と、前記電極層上に配置された誘電体層と、前記誘電体層上に配置され、ＥＬ発光体を有する発光層と、前記発光層上に配置された透光性を有する保護層とを有し、前記発光層は、前記保護層上に付着した導電性の液体を介して前記第１の電極と前記第２の電極との間に流れる交流電流により、前記導電性の液体の直下の部分が発光することを特徴とする。
【０００９】
請求項２に係る傘は、請求項１に記載の傘において、前記保護層の表面に撥水性のコーティングが施されていることを特徴とする。
【００１０】
請求項３に係る傘は、請求項１または２に記載の傘において、前記傘布を開いたときに、電源からの交流電圧を前記第１の電極と前記第２の電極との間に印加するスイッチをさらに備えることを特徴とする。
【００１１】
請求項４に係る発光シートは、互いに近接し境界領域を隔てて電気的に絶縁された所定のパターンを持つ第１の電極および第２の電極を有する電極層と、前記電極層上に配置された誘電体層と、前記誘電体層上に配置され、ＥＬ発光体を有する発光層と、前記発光層上に配置された透光性を有する保護層とを有し、前記発光層は、前記保護層上に付着した導電性の液体を介して前記第１の電極と前記第２の電極との間に流れる交流電流により、前記導電性の液体の直下の部分が発光することを特徴とする。
【発明の効果】
【００１２】
本発明によれば、視認されやすい傘およびこれに用いる発光シートを提供することができる。
【図面の簡単な説明】
【００１３】
【図１】本発明の実施の形態に係る傘の概略構成を示す断面図である。
【図２】図１に示す傘における傘布の断面図である。
【図３】図１に示す傘の上部を示す部分拡大図である。
【図４】電極パターンの例を示す図である。
【発明を実施するための形態】
【００１４】
以下、本発明の実施の形態について、図面を参照して説明する。
【００１５】
図１は、本発明の実施の形態に係る傘の概略構成を示す断面図である。図１に示すように、本実施の形態に係る傘１は、傘１の支柱となる軸２と、複数の親骨３と、親骨３の上に張られた傘布４と、親骨３と同数の支骨５とを備える。
【００１６】
親骨３は、軸２の上端付近に固定された上ろくろ６に一方端を支持され、軸２を中心とする放射状に開閉可能に設けられている。
【００１７】
支骨５は、一方端で親骨３の略中央を支持し、他方端は軸２に沿って滑動可能に設けられた下ろくろ７に支持されている。使用者は、下ろくろ７を軸２に沿って移動させることにより、親骨３および傘布４を開閉させることができる。
【００１８】
軸２の下端には、柄８が取り付けられている。また、軸２には、傘１の親骨３および傘布４を開いた状態で保持するために下ろくろ７の下端を支えるツメ９が設けられている。ツメ９には、軸２内に設けられたバネにより軸２の外へ突出するようにバネ力が付勢されている。親骨３および傘布４を閉じる際には、使用者は、ツメ９を押すことで下ろくろ７をツメ９から外し、下ろくろ７を軸２に沿って降下させる。
【００１９】
図２は、傘布４の断面図である。図２に示すように、傘布４は、布等の絶縁性材料からなるシート状のベース層４１と、ベース層４１上に配置された発光シート４２とを備える。
【００２０】
発光シート４２は、電極層４３と、誘電体層４４と、発光層４５と、保護層４６とが、ベース層４１側から順次積層されて形成されている。
【００２１】
電極層４３は、所定の電極パターンを有する。電極層４３は、例えば、銀粉を含むペースト状の銀ペースト、銅粉を含むペースト状の銅ペースト等の導電性ペーストをスクリーン印刷により所定のパターンでベース層４１に蒸着した後、熱乾燥処理することにより形成される。
【００２２】
図３は、傘１の上部を示す部分拡大図である。図３に示すように、傘布４には、それぞれ複数の櫛歯状のパターンを有する電極４３ａおよび電極４３ｂが形成されている。電極４３ａ，４３ｂは、傘布４の中心から放射状に形成された直線状のバス電極４３１ａ，４３１ｂと、バス電極４３１ａ，４３１ｂから互い違いになるように突出した複数の櫛電極４３２ａ，４３２ｂとからそれぞれ構成される。なお、電極４３ａと電極４３ｂとは、傘布４の全周に渡って交互に形成されているが、図３では、説明の便宜上、それぞれ１つずつを図示し、その他は省略している。図２は、櫛電極４３２ａ，４３２ｂに略直交する方向に沿う傘布４の断面を示している。
【００２３】
電極４３ａの櫛電極４３２ａと電極４３ｂの櫛電極４３２ｂとは、互いに近接しつつ電気的に絶縁するように境界領域（隙間）を隔てて形成されている。櫛電極４３２ａ，４３２ｂの幅は、例えば０．１〜５．０ｍｍ程度であり、隣り合う櫛電極４３２ａ，４３２ｂ間の隙間の幅は、例えば０．１〜２．０ｍｍ程度である。
【００２４】
図３に示すように、各電極４３ａは、軸２に取り付けられた端子１０に配線１１を介して接続され、各電極４３ｂは、軸２に取り付けられた端子１２に配線１３を介して接続されている。各電極４３ａは電気的に接続され、各電極４３ａの電位は同電位であり、同様に、各電極４３ｂの電位は同電位である。
【００２５】
また、図３に示すように、傘布４の中央部分には、端子１０，１２および配線１１，１３を配置するための穴４ａが設けられ、この穴４ａを通過して雨が落下することを防止するための保護板１４が軸２の上端部に設けられている。保護板１４の上面には石突１５が設けられている。
【００２６】
誘電体層４４は、チタン酸バリウム（ＢａＴｉＯ３）、ロッシェル塩のような強誘電体粉末である無機粉末を、結合剤として機能する樹脂中に分散して形成される。
【００２７】
誘電体層４４は、例えば、ＢａＴｉＯ３とフッ素系樹脂とを溶媒にて希釈してインクとし、このインクをスクリーン印刷により製膜、乾燥することで形成される。誘電体層４４の厚さは、例えば１０〜３０μｍ程度である。
【００２８】
発光層４５は、例えば無機蛍光体粒子からなるＥＬ（Electro Luminescence）発光体と、このＥＬ発光体を分散状態で固定する透明な樹脂結合剤とを含む。
【００２９】
発光層４５は、例えば、銅（Ｃｕ）をドープした硫化亜鉛（ＺｎＳ）の粉末からなるＥＬ発光体を、フッ化ビニリデンと６フッ化プロピレンとの共重合体をメチルエチルケトンの溶剤に溶かしたフッ素系樹脂バインダに混合攪拌（分散）してインクとし、このインクをスクリーン印刷により製膜、乾燥することで形成される。発光層４５の厚さは、例えば３０〜４０μｍ程度である。
【００３０】
発光層４５は、電極４３ａと電極４３ｂとの間に交流電圧が印加されることにより、所定の発光色で発光する。
【００３１】
保護層４６は、発光層４５を保護するものであり、発光層４５からの光を透過するように透光性を有し、かつ絶縁性を有する材料からなる。保護層４６の材料としては、フッ素ゴム等のフッ素系合成樹脂、シリコンゴム等のシリコン系樹脂、ポリエステル系樹脂、ウレタン系樹脂等が用いられる。保護層４６の厚さは、例えば１〜２μｍ程度であり、保護層４６の表面には、撥水性のコーティングが施されていることが好ましい。
【００３２】
上記のように構成された発光シート４２は、薄く柔軟性を有するため、傘１の開閉等に支障はない。
【００３３】
図１に示すように、柄８の内部には、発光シート４２に電力を供給する電源部１６が格納されている。電源部１６は、電源としての電池と、電池からの直流電力を交流電力に変換するインバータと、発光シート４２への給電をＯＮ／ＯＦＦするスイッチ（いずれも図示せず）とを備える。柄８において使用者がスイッチを操作することで、発光シート４２への給電をＯＮ／ＯＦＦできるようになっている。
【００３４】
電源部１６は、軸２内に配設された配線１７により端子１０，１２に接続され、端子１０，１２を介して発光シート４２の電極４３ａ，４３ｂに交流電圧を印加するようになっている。
【００３５】
次に、傘１の作用について説明する。
【００３６】
降雨時に傘１をさすと、図２に示すように、導電性の液体である水滴１８が発光シート４２の保護層４６上に付着する。
【００３７】
この状態で電源部１６のスイッチをＯＮして電極４３ａ，４３ｂ間に交流電圧を印加すると、水滴１８を介して電極４３ａ，４３ｂの櫛電極４３２ａ，４３２ｂ間に交流電流が流れ、これにより発光層４５のうち水滴１８の直下の部分が局部的に発光する。つまり、水滴１８の付着によって、櫛電極４３２ａ、発光層４５、水滴１８、発光層４５、櫛電極４３２ｂ等からなる回路が形成され、発光層４５内に交流電流が流れる。そして、発光層４５のうち水滴１８の直下の部分が発光する。
【００３８】
発光層４５からの光は、保護層４６および水滴１８を通過して外部に出射される。降雨時には、発光シート４２の保護層４６上に多くの水滴１８が付着し、それぞれの水滴１８に対応する部分が発光するため、傘布４の広い範囲が発光する。
【００３９】
上記説明のように本実施の形態によれば、傘布４の表面に水滴１８が付着した部分が発光する発光シート４２を配置したので、降雨時に傘１をさすと傘布４の広い範囲が発光し、傘１が視認されやすくなる。
【００４０】
また、傘布４上を水滴１８が移動することにより発光部分も移動するため、視認性が増すとともに、独特な視覚効果を奏する。保護層４６の表面に撥水性のコーティングが施されていれば、傘布４上を水滴１８が移動しやすく、より効果的である。
【００４１】
なお、発光シート４２は、傘布４のベース層４１の全面を覆うように配置されていなくてもよく、部分的に配置されていてもよい。
【００４２】
また、電源部１６のスイッチは、傘１の親骨３および傘布４を開き、下ろくろ７がツメ９に支持される所定の位置にある状態で配線１７を接続して電源をＯＮする構成としてもよい。これにより、傘１をさしているときは常に交流電圧が電極４３ａ，４３ｂ間に印加され、発光シート４２の水滴１８が付着した部分が発光する。
【００４３】
また、本実施の形態では、電極層４３において、櫛歯状の電極４３ａ，４３ｂを近接して配置する例を示したが、電極層４３の電極パターンはこれに限らない。例えば、図４に示すように、渦巻状の一対の電極５１ａ，５１ｂを互いに近接し境界領域を隔てて配置した電極パターンとしてもよい。電極５１ａ，５１ｂは、配線５２，５３により端子１０，１２にそれぞれ接続され、電極５１ａ，５１ｂ間に交流電圧が印加される。
【符号の説明】
【００４４】
１  傘
２  軸
３  親骨
４  傘布
５  支骨
６  上ろくろ
７  下ろくろ
８  柄
９  ツメ
１６  電源部
１８  水滴
４１  ベース層
４２  発光シート
４３  電極層
４３ａ，４３ｂ，５１ａ，５１ｂ  電極
４４  誘電体層
４５  発光層
４６  保護層
【図１】
2010207503.tif 000003
【図２】
2010207503.tif 000004
【図３】
2010207503.tif 000005
【図４】
2010207503.tif 000006